(57)【要約】【課題】  優れた投影効果を得る光補正機能を有する書画カメラを提供する。【解決手段】  光補正機能を有する書画カメラ１００は、撮像カメラ１０６、光センサ１０８、信号変換器、光コンピューティングユニットおよび光制御装置を少なくとも備える。撮像カメラ１０６は、ベース１０２の上方に固定され、輝度を調整することのできる発光源を有する。光センサ１０８は、撮像カメラ１０６上に設置され、バックライト光源の強度を測定してアナログ信号を出力する。信号変換器は、受信されたアナログ信号をデジタル信号へ変換して出力する。光コンピューティングユニットは、入力されたバックライト光源の強度を示すデジタル信号を基に、必要な光源輝度信号を計算して出力する。光制御装置は、光コンピューティングユニットから出力された信号を基に、輝度を調整することのできる発光源を制御する。【選択図】図１
2006115458.tif 000002
【特許請求の範囲】
【請求項１】
撮像カメラ、光センサ、信号変換器、光コンピューティングユニットおよび光制御装置を少なくとも備える光補正機能を有する書画カメラであって、
前記撮像カメラは、ベースの上方に固定され、輝度を調整することのできる発光源を有し、
前記光センサは、前記撮像カメラ上に設置され、バックライト光源の光を受信し、
前記信号変換器は、前記光センサに電性接続され、前記光センサからアナログ信号を受信してデジタル信号へ変換し、
前記光コンピューティングユニットは、前記信号変換器に電性接続され、前記デジタル信号を受信して必要な光源輝度信号を計算し、
前記光制御装置は、前記光コンピューティングユニットに電性接続されるとともに、前記輝度を調整することのできる発光源に電性接続され、その輝度を制御することを特徴とする光補正機能を有する書画カメラ。
【請求項２】
前記輝度を調整することのできる発光源は、複数個の発光ダイオードを有する発光源であることを特徴とする請求項１記載の光補正機能を有する書画カメラ。
【請求項３】
前記輝度を調整することのできる発光源は、輝度が調整できる電球であることを特徴とする請求項１記載の光補正機能を有する書画カメラ。
【発明の詳細な説明】
【技術分野】
【０００１】
本発明は書画カメラに関し、特に光補正機能を有する書画カメラに関する。
【背景技術】
【０００２】
従来最もよく見られたプレゼンテーションの補助装置は、スライドを使用するプロジェクタであった（例えば、特許文献１参照）。科学技術の発展に伴い、現在使われているプレゼンテーションの補助装置には、ＬＣＤのプロジェクタ、ノートブック型コンピュータおよび書画カメラが含まれるようになった。
【０００３】
書画カメラは、プレゼンテーションで使用する目標物（例えば、ドキュメントまたは実体物）を電子画像ファイルや電子文書ファイルに作成し、目標物を投影スクリーン上に表示することが可能である。書画カメラは、プレゼンテーションで使用する目標物をデジタル式カメラの撮像範囲内へ置き、撮影した画像を投影スクリーン上へ直接表示する。そのため、書画カメラはプレゼンテーション資料を準備するためにかかる時間を少なくすることができる。
【特許文献１】特開２００２−１９６７４０号公報
【発明の開示】
【発明が解決しようとする課題】
【０００４】
書画カメラが使用されるときにバックライトの光が強すぎる場合、投影スクリーン上の目標物の画像は黒くなって識別しにくくなった。そのため、書画カメラの製造メーカは急いで上述の問題を解決する必要があった。
【０００５】
本発明の主な目的は、優れた投影効果を得る光補正機能を有する書画カメラを提供することにある。
【課題を解決するための手段】
【０００６】
上述の目的を達成するため、本発明の光補正機能を有する書画カメラは、撮像カメラ、光センサ、信号変換器、光コンピューティングユニットおよび光制御装置を少なくとも備える。撮像カメラは、ベースの上方に固定され、輝度を調整することのできる発光源を有する。光センサは、撮像カメラ上に設置され、バックライト光源の強度を測定してアナログ信号を出力する。信号変換器は、受信したアナログ信号をデジタル信号へ変換して出力する。光コンピューティングユニットは、入力されたバックライト光源の強度を示すデジタル信号を基に、必要な光源輝度信号を計算して出力する。光制御装置は、光コンピューティングユニットから出力された信号を基に、輝度を調整することのできる発光源を制御する。輝度を調整することのできる発光源は、複数個の発光ダイオードを有する発光源や輝度が調整できる電球などでもよい。
【発明の効果】
【０００７】
上述したことから分かるように、本発明の光補正機能を有する書画カメラは、バックライトの強度を測定してから計算することにより、最適なカメラ光源の強度を決定することができる。この光補正の機能は、バックライトの光が強すぎることから投影効果が悪くなる問題（目標物の画像が黒くなり認識が困難となる）を防止し、投影効果をさらに向上させることができる。
【発明を実施するための最良の形態】
【０００８】
書画カメラのバックライト光源が強すぎたり弱すぎたりするときに、投影効果が悪くなる問題を解決するため、本発明の光源補償機能を有する書画カメラは、書画カメラのバックライト光源の強さを測定し、最適な光源強度を計算して投影効果を向上させる。
【０００９】
図１は、本発明の好適な一実施形態による光補正機能を有する書画カメラを示す模式図である。書画カメラ１００は、撮像カメラ１０６によりドキュメント１１４上を撮像する。撮像カメラ１０６は、アーム１０４によりベース１０２の上方に固定される。バックライト光源１１０の光が強すぎるときに、カメラ光源が加わると、投影スクリーン上の目標物の画像は黒くなって識別しにくくなった。そのため、本実施形態は撮像カメラ１０６上に設置された光センサ１０８によりバックライト光源１１０の強度を測定してから、光センサ１０８により測定された信号を基にカメラ光源１１２の発光を補正する。
【００１０】
図２は、本発明の好適な一実施形態による書画カメラ内に設置された光補正機能の関連要素を示すブロック図である。本実施形態はブロック図に示された要素により、上述の光補正機能を達成する。光センサ１０８の機能は、バックライト光源１１０の強度を測定することにある。信号変換器１０９は、光センサ１０８に電性接続（電気的に接続）され、光センサ１０８からアナログ信号を受信してデジタル信号へ変換する。光コンピューティングユニット１０７は、信号変換器１０９に電性接続され、信号変換器１０９からデジタル信号を受信する。光コンピューティングユニット１０７は、入力されたデジタル信号を基に、その時々の情況に相応しい最適なカメラ光源の信号を計算して出力する。光制御装置１０５は、光コンピューティングユニット１０７およびカメラ光源１１２にそれぞれ電性接続され、光コンピューティングユニット１０７からカメラ光源を最適化する信号を受信する。光制御装置１０５は、カメラ光源から信号を受信すると、カメラ光源の強度を制御して投影効果を向上させる。
【００１１】
図２に示される要素は、光センサ１０８（撮像カメラ１０６上に設置）およびカメラ光源の位置が固定されていれば、その他の要素は所定の位置に設置されなくてもよい。本実施形態の光制御装置１０５、光コンピューティングユニット１０７または信号変換器１０９は、回路方式によりプリント回路板上に製作されたり、集積回路に設計してプリント回路板上に固定されたりしてもよい。上述のカメラ光源１１２は、例えば複数個の発光ダイオードを有する発光源（発光ダイオードをオンするスイッチ数を調整して輝度調整を行う）や、輝度調整が可能な電球などといった輝度調整が可能な発光源でなければならない。
【００１２】
本発明の好適な実施形態から分かるように、本発明の光補正機能を有する書画カメラは、バックライトの強度を測定してから計算することにより、最適なカメラ光源の強度を決定することができる。この光源補正の機能は、バックライトが強すぎることから投影効果が悪くなる問題（目標物の画像が黒くなり認識が困難となる）を防止し、投影効果をさらに向上させることができる。
【００１３】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００１４】
【図１】本発明の好適な一実施形態による光補正機能を有する書画カメラを示す模式図である。
【図２】本発明の好適な一実施形態による書画カメラ内に設置された光補正機能の関連要素を示すブロック図である。
【符号の説明】
【００１５】
１００  書画カメラ、１０２  ベース、１０４  アーム、１０５  光制御装置、１０６  撮像カメラ、１０７  光コンピューティングユニット、１０８  光センサ、１０９  信号変換器、１１０  バックライト光源、１１２  カメラ光源、１１４  ドキュメント。
【図１】
2006115458.tif 000003
【図２】
2006115458.tif 000004